(57)【要約】【課題】本発明は、タイヤ監視システムにおいて、測定すべき測定量の測定に及ぼされる妨害パルスおよび／または信号ノッチの影響を少なくとも低減するという課題を基礎とする。【解決手段】車両のタイヤ監視システム内または車両のタイヤ監視システム用に設けられ、変調された搬送波信号から包絡線を検出することによって、搬送波周波数を有する受信された振幅変調問い合わせ信号を復号化するための評価装置と、該問い合わせ信号を入力結合するためのカウンタ入力側を有するデジタルカウンタと、入力側で該デジタルカウンタのカウンタ出力側に接続されているシフトレジスタと、該シフトレジスタの出力側に接続された論理回路とを有する、ホイール電子回路。【選択図】図４
2008283687.tif 000002
【特許請求の範囲】
【請求項１】
車両（１０）のタイヤ監視システム内または車両（１０）のタイヤ監視システム用に設けられた、測定量の測定用のホイール電子回路において、
変調された搬送波信号から包絡線（３３）を検出することによって、搬送波周波数（３２）を有する受信された振幅変調問い合わせ信号（２５）を復号化するための評価装置（２２）と、
該問い合わせ信号（２５）を入力結合するためのカウンタ入力側を有するデジタルカウンタと、
入力側で該デジタルカウンタのカウンタ出力側に接続されているシフトレジスタ（４１）と、
該シフトレジスタ（４１）の出力側に接続された論理回路（４３）
とを有する、ホイール電子回路。
【請求項２】
前記デジタルカウンタはグレイカウンタ（４０）として構成されている、請求項１記載のホイール電子回路。
【請求項３】
前記デジタルカウンタは３ビットカウンタとして構成されている、請求項１または２記載のホイール電子回路。
【請求項４】
前記デジタルカウンタの各出力側は、シフトレジスタ段のフリップフロップ入力側に接続されている、請求項１から３までのいずれか１項記載のホイール電子回路。
【請求項５】
前記シフトレジスタ（４１）は多段のシフトレジスタ（４１）として構成されており、相互に直列に配置された複数のシフトレジスタ段（４２）を有する、請求項４記載のホイール電子回路。
【請求項６】
前記シフトレジスタ（４１）は５段のシフトレジスタ（４１）として構成されており、総じて５つのシフトレジスタ段（４２）と、相応の５つの出力端子とを有する、請求項４または５記載のホイール電子回路。
【請求項７】
前記シフトレジスタ（４１）は、前記搬送波周波数（３２）と異なるクロック信号（３４）の周波数によってクロック制御される、請求項１から６までのいずれか１項記載のホイール電子回路。
【請求項８】
前記シフトレジスタ段（４２）の各出力端子の一部は前記論理回路（４３）の入力側に接続されており、
すべてのシフトレジスタ段（４２）が同じ出力値を有する場合、該論理回路（４３）は出力端子で第１の論理レベルを出力し、
該シフトレジスタ段（４２）の出力値が少なくとも部分的に異なる場合、該論理回路（４３）は第２の論理レベルを出力する、請求項１から７までのいずれか１項記載のホイール電子回路。
【請求項９】
前記論理回路（４３）は前記クロック信号（３４）によってクロック制御される、請求項８または９記載のホイール電子回路。
【請求項１０】
フリップフロップ（４５）、とりわけＤフリップフロップが設けられており、
該フリップフロップ（４５）のデータ入力側は前記論理回路（４３）の出力端子に接続されており、
該フリップフロップ（４５）のクロック入力側に前記クロック信号（３４）が入力結合されるように構成されている、請求項８から１０までのいずれか１項記載のホイール電子回路。
【請求項１１】
前記ホイール電子回路（１３）の要素にエネルギーを供給するローカルのエネルギー供給部（２４）が設けられている、請求項１から１２までのいずれか１項記載のホイール電子回路。
【発明の詳細な説明】
【技術分野】
【０００１】
本発明は、車両のホイール制御システム内または車両のタイヤ監視システム用に設けられた測定量の測定用のホイール電子回路と、同様の形式のタイヤ監視システムとに関する。
【背景技術】
【０００２】
本発明は、タイヤ固有のパラメータを監視または検出するためのシステムに関する。このタイヤ固有のパラメータは、たとえばタイヤ温度、タイヤ圧、ホイールの回転速度、トレッド厚さ等である。このようなシステムは一般的に、タイヤ情報システム、タイヤ監視システムまたはタイヤ圧監視システムとも称される。本発明と、本発明の基礎となる問題とを、以下でタイヤ圧監視システムに関連して説明するが、本発明はこの点に限定されない。
【０００３】
車両セーフティおよび信頼性は自動車技術における中心的なファクタであるから、セーフティ技術上の理由からだけでも、自動車のタイヤ圧を規則的に検査しなければならない。このことはしばしば行われないことが多い。現在の自動車は、とりわけこのような理由から、次のようなタイヤ圧監視システム、すなわち、タイヤ圧を自動的に測定し、測定されたタイヤ圧とタイヤ圧目標値とのクリティカルな偏差を早期に識別するように構成されたタイヤ圧監視システムを有する。このようにして、手動の検査は不要になる。
【０００４】
このようなタイヤ圧監視システムは典型的には、各ホイールに所属する少なくとも１つのホイール電子回路を有し、該ホイール電子回路にはホイールセンサが含まれている。このようなホイールセンサは、該ホイールセンサにそれぞれ所属するホイールのタイヤ固有のパラメータを捕捉し、測定されたこの値から導出された情報を送出するように構成されている。このホイールセンサはたとえばタイヤのゴム材料内に組み込まれ、たとえばタイヤのゴム内に加硫によって統合化される。捕捉された送出すべき情報を前評価して伝送するために、ホイール電子回路は、このような情報を送信するための送信アンテナを有する。車両側では、タイヤ圧監視システムは少なくとも１つの受信装置を有する。この受信装置は、タイヤ電子回路から送信され情報を含む信号を捕捉し、中央計算ユニットへ伝送する。
【０００５】
各ホイール電子回路と該ホイール電子回路に所属する車両側の受信装置との間で、典型的には双方向のデータ通信が行われる。たとえば公知のチャレンジレスポンス手法にしたがって行われるこのような双方向のデータ通信では、車両側のベースステーションから送信装置を介して、まずは問い合わせ信号（チャレンジ）がホイール電子回路へ送信され、該ホイール電子回路から該問い合わせに応答して、応答ワード信号（レスポンス）が送信される。
【０００６】
タイヤ圧監視システムの一般的な問題は、ホイール電子回路と車両との間の無線通信を原因とする。このような無線通信では、ホイール電子回路側でローカルのエネルギー供給部が必要になる。したがって多くのタイヤ圧監視システムでは、ホイール電子回路にバッテリーまたは蓄電池が装備されている。可能な限り小さいエネルギー消費を保証し、タイヤ電子回路のバッテリーを大事に使用するために、測定センサにおける測定は連続的には行われず、相応の問い合わせに応答して行われる。こうするために、ベースステーションは空気圧測定の要求（すなわち問い合わせ）をホイール電子回路へ送信する。
【０００７】
ホイール電子回路は、要求を要求として識別した場合、ホイールセンサに測定を行わせる。
【０００８】
しかし、車両側の送信器とホイール側の受信器との間の無線伝送区間に起因して、送信された要求信号の伝送エラーが発生することがある。たとえば、要求信号に妨害パルスおよび信号ノッチが発生する。妨害パルスはたとえば別の信号源によって引き起こされ、たとえば、タイヤ圧監視システムの直近の周辺に存在する別の道路使用者の送信装置によって引き起こされるか、またはたとえば、送信された要求信号によって重畳されて該要求信号を妨害する別の無線信号によっても引き起こされる。さらにこのような妨害信号は、車両内部の信号源によって発生し、要求信号に不所望に重畳されることもある。それに対して信号ノッチは、車両側の送信器とホイール電子回路側の受信器との間の無線インタフェースが少なくとも一時的または部分的に遮断される場合に発生する。このような信号ノッチは、たとえば高速時にタイヤ圧を測定する場合に生じる。この場合には、タイヤに取り付けられたホイールセンサは、車両側の送受信器との間にデータ通信部を形成してデータ通信を行うのに僅かな時間しか与えられない。さらに、車両のボディ自体も少なくとも部分的または一部領域で、送信された要求信号に対する遮蔽部として機能することもある。
【０００９】
要求信号に多かれ少なかれ大きな信号ノッチが形成されるか、または要求信号が妨害パルスによって妨害された場合、この要求信号に含まれる問い合わせを、問い合わせとして識別することができない。このことは結果として、測定センサがタイヤ圧測定を行わないことを意味する。このことは、タイヤ圧測定時にとりわけセーフティ技術上の理由から、可能な限り回避しなければならない状態である。
【発明の開示】
【発明が解決しようとする課題】
【００１０】
このことを背景として本発明は、タイヤ監視システムにおいて、測定すべき測定量の測定に及ぼされる妨害パルスおよび／または信号ノッチの影響を少なくとも低減するという課題を基礎とする。
【課題を解決するための手段】
【００１１】
前記課題は、請求項１の特徴を有するタイヤ電子回路によって解決される。
【００１２】
それによれば、次のように構成される：
車両のタイヤ監視システム内または車両のタイヤ監視システム用に設けられる、測定量の測定用のホイール電子回路において、
変調された搬送波信号から包絡線を検出することによって、搬送波周波数を有する受信された振幅変調問い合わせ信号を復号化するための評価装置と、
該問い合わせ信号を入力結合するためのカウンタ入力側を有するデジタルカウンタと、
入力側で該デジタルカウンタのカウンタ出力側に接続されているシフトレジスタと、
該シフトレジスタの出力側に接続された論理回路
とを有する、ホイール電子回路。
【発明を実施するための最良の形態】
【００１３】
車両内または車両用に設けられたタイヤ監視システムにおいて、車両側に設けられ少なくとも１つの第１の送受信装置を有するベースステーションと、先行の請求項のうちいずれか１項記載の少なくとも１つのホイール電子回路とを備えており、該ホイール電子回路は、それぞれ第２の送受信装置を有し、ホイール電子回路においてタイヤ固有のパラメータを検出するために、該ベースステーションと該ホイール電子回路との間にチャレンジ‐レスポンス手法によるデータ通信部が設けられている、タイヤ監視システム。
【００１４】
本発明は次のようなタイヤ監視システムを基礎とする。すなわち、ベースステーションから適切な問い合わせ信号によって無線の通信区間を介してタイヤ電子回路に対して測定が要求された場合にのみ、タイヤ電子回路とここではとりわけ該タイヤ電子回路の測定センサが測定を行う、公知のチャレンジ‐レスポンス手法にしたがって動作するタイヤ監視システムを基礎とする。この問い合わせは、振幅変調された問い合わせ信号によって送信される。有利には、搬送波信号の周波数は１２５ｋＨｚである。ここでは情報は、振幅の変調によって、たとえばパルス幅変調方式の変調で、搬送波信号に重畳される。
【００１５】
本発明の基礎となる思想は、この搬送波信号の包絡線を形成することにより、該包絡線から相応の問い合わせを復号化することである。このような包絡線を形成するためには、振幅変調問い合わせ信号はデジタル化される。本発明の基礎となる思想はさらに、このデジタル化された問い合わせ信号をデジタルカウンタに供給し、該デジタルカウンタが包絡線を検出することである。こうするためにはカウンタは、周波数が少なくとも搬送波信号の周波数と異なるクロック信号によってクロック制御される。このようにして、振幅変調問い合わせ信号の包絡線を非常に簡単かつ非常に効率的に検出することができる。したがって、本発明ではある意味では、次のようなデジタルフィルタが提供される。すなわち、たとえば９０ｋＨｚのクロック信号を使用する場合に妨害パルスおよび信号ノッチを、振幅変調問い合わせ信号から非常に効率的にフィルタリングするデジタルフィルタが提供される。
【００１６】
非常に驚くべきことに、振幅変調問い合わせ信号とここではとりわけ該問い合わせ信号の半焼周波数の領域内とにある妨害パルスおよび信号ノッチを、包絡線の形成によって回避することができる。包絡線を検出するためにデジタルカウンタを設けることにより、ある意味では次のようなデジタルフィルタ、すなわち、平均値形成によって高周波の搬送波信号中の妨害または信号ノッチを平均して小さくし、このことによって消去するデジタルフィルタが実現される。このようにして、問い合わせ信号から問い合わせを検出する比較的耐妨害性の方法を非常に効率的かつ非常に簡単に提供することができる。
【００１７】
別の従属請求項および明細書から、図面の各図を参照して、本発明の有利な実施形態および発展形態を導き出すことができる。
【００１８】
本発明によるシステムの特に有利な発展形態では、前記カウンタはグレイカウンタとして構成される。このグレイカウンタは、カウントを進める際には常に、１クロックあたり１ビットだけ変化するので、非常に有利には、本発明によるフィルタ回路の特に安定的な挙動が実現される。
【００１９】
有利な実施形態では、前記カウンタは３ビットカウンタとして構成され、ここではとりわけ、３ビットグレイカウンタとして構成される。このような３ビットによって、総じて８つの可能な状態が得られる。高い耐妨害性を保証するためには、このような３ビットと、それによって可能な８つの状態とですでに十分であることが多いことが実証されている。もちろん、期待される妨害パルスおよび／または信号ノッチがどのように似ているかに応じて、ないしは、本発明によるホイール電子回路によってどのような耐妨害性を実現すべきかに応じて、２ビットカウンタのみを設けるか、または３ビットを上回るカウンタを設けることも考えられる。
【００２０】
有利な実施形態では、入力側で前記カウンタのカウンタ出力側に接続されているシフトレジスタが設けられる。このような構成で有利には、シフトレジスタは次のような多段シフトレジスタ、すなわち、相互に直列に配置された複数のシフトレジスタセルを有する多段シフトレジスタとして構成される。有利には、シフトレジスタは５段シフトレジスタとして構成され、総じて５つのシフトレジスタセルを含む。このような５段シフトレジスタは、最大で５つのシフトレジスタ出力端を有する。アプリケーションに応じて、シフトレジスタセルの１つまたは別の出力側を省略することもでき、たとえば、第１のシフトレジスタセルに直接後置されている第１の出力側を省略することもできる。このようなシフトレジスタを設けることにより、非常に小さい妨害パルスおよび信号ノッチも回避することができる。このようなシフトレジスタを設けることにより、シフトレジスタの出力端に次のような包絡線も形成される。すなわち、振幅変調された問い合わせ信号に対して僅かに時間シフトされているが、このことはもはや妨害とはならない包絡線も形成される。というのもその結果として、振幅変調された問い合わせ信号の包絡線は高い確実性と耐妨害性とで生成されるからである。シフトレジスタの長さに応じて、すなわち相互に連続して配置されたシフトレジスタセルの数に応じて、ホイール電子回路がどのような妨害脆弱性を有するかを決定することができる。包絡線生成のダイナミクスと妨害耐性との間の非常に良好な妥協線を得るためには、３つを上回りかつ７つを下回る数のシフトレジスタセルが設けられ、とりわけ５つのシフトレジスタセルが設けられる。より多数のシフトレジスタ数も可能であるが、これによって、デジタル信号ないしは包絡線が搬送波周波数信号に対してシフトしてしまう。また、シフトレジスタ数がより多くなると、ホイール電子回路のコストがより高くなる。このようなシフトレジスタによって、搬送周波数の連続したパルスは相互に連続しなければならず、そうでない場合にはシフトレジスタ回路は、欠落した信号が妨害パルスによって引き起こされたことを識別することができる。
【００２１】
有利な実施形態では、問い合わせが存在する場合にのみ、検出すべき物理的な測定量の測定を行う測定センサが設けられている。このような測定センサは、タイヤ圧、タイヤ温度または別のタイヤ固有のパラメータを検出するように構成することができる。この別のタイヤ固有のパラメータは、とりわけホイールの回転速度、タイヤのトレッド厚さ等である。
【００２２】
同様に有利な実施形態では第２の評価回路が設けられる。この第２の評価回路は、シフトレジスタの各出力端子および各シフトレジスタセルの各出力端子が評価回路の入力端に接続されるように構成されている。この第２の評価回路は、たとえば論理回路として構成されるか、またはマイクロコントローラの構成部分として実装される。第２の評価回路は出力側で、クロック信号のクロック周波数と異なるシフトレジスタセルによって検出された出力ビットとに依存して、その時点の論理レベルを生成するように構成されている。すべてのシフトレジスタセルが同じ出力値を有する場合には、この第２の評価回路は出力端子で第１の論理レベルを出力し、たとえば論理"０"を出力するか、または論理的なローレベルを出力する。それとは逆に、シフトレジスタセルのすべての出力値の少なくとも一部が異なる場合には、第２の評価回路は出力側で第２の論理レベルを出力し、たとえば論理"１"を出力するか、または論理的なハイレベルを出力する。ここではもちろん、逆の論理も考えられる。
【００２３】
典型的には、シフトレジスタひいては該シフトレジスタセルはクロック信号によってクロック制御される。
【００２４】
有利な実施形態ではフリップフロップが設けられ、ここではとりわけＤフリップフロップが設けられる。フリップフロップのデータ入力端は第２の評価回路の出力端子に接続されており、該フリップフロップのクロック入力端にクロック信号が入力結合される。したがってこのフリップフロップの出力端では、クロック信号によってトリガされ、第２の評価回路の出力信号と該クロック信号との結合によって、包絡線が形成される。
【００２５】
有利な実施形態では、プログラム制御される装置が設けられており、この装置は少なくとも、第１の評価装置の機能を含む。付加的または択一的に、このプログラム制御される装置が第２の評価装置の機能および／またはカウンタの機能および／またはフリップフロップの機能を含むように構成することもできる。このようなプログラム制御される装置は、マイクロコントローラまたはマイクロプロセッサ等として構成するか、または、たとえばＰＬＤまたはＦＰＧＡ等の固定配線式の論理回路として実装することもできる。
【００２６】
典型的な実施形態では、ホイール電子回路はローカルのエネルギー供給部を有する。このエネルギー供給部は、ホイール電子回路の要素にエネルギーを供給する。とりわけ、たとえばバッテリーまたは充電可能な蓄電池として構成されるこのエネルギー供給部は、ホイール電子回路のマイクロコントローラ、測定センサ、評価装置、カウンタおよびフリップフロップにエネルギーを供給する。
【００２７】
本発明によるタイヤ監視システムの有利な実施形態では、車両側の第１の送受信装置からホイール電子回路へ送信される振幅変調された問い合わせ信号の搬送波信号の周波数は、短波長周波数領域にある。このような周波数により、自動車の別のシステムに生じる妨害が小さくなり、このことは自動車において比較的重要である。
【００２８】
有利には、ホイール電子回路のクロック信号の周波数は少なくとも、搬送波信号の周波数より小さい。ホイール電子回路のクロック信号の周波数が、第１の送受信装置から該ホイール電子回路へ送信される振幅変調された問い合わせ信号の搬送波信号の周波数の少なくとも半分である場合、本発明によるタイヤ監視システムは非常に確実に動作する。有利には、この搬送波信号の周波数は１２５ｋＨｚであり、クロック信号の周波数は９０ｋＨｚである。
【実施例】
【００２９】
図面の各図において、同一および同機能の要素、特徴および信号には、特記がない限り同じ参照符号が付されている。
【００３０】
図１は、本発明によるタイヤ圧システムの実施例を、乗用車の概略的な平面図で示す。図１中、参照番号１０は車両を示し、これはたとえば乗用車である。車両１０はこの実施例では、４つのホイール１１を有する。これらの各ホイール１１は公知のように、ここには示されていないシャフトに固定されている。
【００３１】
車両１０は本発明のタイヤ監視システムを有し、これはこの実施例では、たとえばタイヤ圧を検出するためのタイヤ圧監視システムとして構成されている。さらにこのタイヤ圧監視システムは、検出されたタイヤ圧の情報の評価も行い、場合によってはこの情報を表示するように構成すべきである。このタイヤ圧監視システムは、ホイール側のホイール電子装置と、車両側の送受信装置と、バスと、制御装置とを有する。このホイール側のホイール電子装置は、以下ではホイール電子回路とも称される。タイヤ圧監視システムのこれらの要素と、該要素の配置および機能を以下で説明する。
【００３２】
各個々のホイール１１に少なくとも１つのホイール電子回路１３が所属している。このホイール電子回路１３は自明のように、たとえば各タイヤ内、すなわち、タイヤのゴム材料中および／または弁の領域内またはホイール１１のリムの領域内に配置される。各ホイール電子回路１３は典型的にはホイールセンサを有する。このホイールセンサはホイール固有のパラメータを検出するように構成されており、たとえばタイヤ圧と、タイヤ温度と、ホイールの回転速度と、タイヤのトレッド厚さとを検出し、場合によっては別のパラメータも検出する。ホイール電子回路１３はさらに、送受信アンテナ１２も含む。
【００３３】
図２は、このようなホイール電子回路１３の構成例を概略的なブロック回路図で示す。ホイール電子回路１３はこの実施例の場合には、圧力センサ２１と、該圧力センサ２１に接続された処理装置２２と、該処理装置２２に接続された送受信回路２３とを有し、これらにはそれぞれ、ローカルのエネルギー供給部２４によって電気エネルギーが供給される。このエネルギー供給部２４は、たとえば蓄電池またはバッテリーである。このホイール電子回路１３は、圧力センサ２１によって各ホイールのその時点のタイヤ圧を測定するように構成されている。
【００３４】
ホイール電子回路１３は、送受信アンテナ１２および送受信回路２３を介して、車両側で送信された振幅変調信号２５を受け取って処理装置へ伝送するように構成されている。処理装置２２において、受信されたこの信号の復調、復号化および評価が行われる。たとえば、ホイール電子回路１３によって受け取られた信号は、振幅変調信号で符号化された問い合わせを含んでいる。処理装置２２はこの受信された振幅変調信号から、該振幅変調信号に含まれる問い合わせを検出する。このことは以下で、さらに詳細に説明される。
【００３５】
処理装置２２はとりわけ、たとえば測定されたタイヤ圧に関してメッセージ（すなわち応答）を送信信号２６として生成し、次にこのメッセージを送受信回路２３およびアンテナ１２によって、応答として車両側の受信装置１５へ無線送信するように構成される。
【００３６】
ホイール側で送信された送信信号２６を受信するために、タイヤ圧監視システムは車両側に複数の受信装置１５を有し、これらの受信装置１５はそれぞれ送受信アンテナ１６を有する。送受信アンテナ１６によって受信装置１５を介して受け取られた送信信号２６は内部バス１７を介して中央制御ユニット１８へ供給される。この中央制御ユニット１８は計算ユニット１９を有し、たとえば、マイクロコントローラとして構成されたプログラム制御される装置を有する。この計算ユニット１９において、各ホイール電子回路１３によって送信されたメッセージの評価が行われる。
【００３７】
圧力センサ２１は、相応の問い合わせを受け取った場合にのみタイヤ圧を測定する。それ以外の場合には、タイヤ圧２１は非作動化されている。圧力センサ２１を作動化するためには中央制御ユニット１８は、問い合わせを含む問い合わせ信号２５を生成し、送受信装置１５および送受信アンテナ１６を介して、これに所属するホイール電子回路１３へこの問い合わせ信号２５を送信し、該ホイール電子回路１３は送受信アンテナ１２を介して該問い合わせ信号２５を受け取る。
【００３８】
この問い合わせ信号２５はたとえば、部分的に１２５ｋＨｚの搬送波周波数を有する振幅変調された信号である。図３に、このような振幅変調された問い合わせ信号２５の経過例が信号タイムチャートで示されている。この問い合わせ信号２５は第１のセグメント３０と第２のセグメント３１とを有する。問い合わせ信号２５の第１のセグメントは搬送波信号３２を有し、第２のセグメントは搬送波信号３２を有さない。搬送波信号３２は、この例では高周波の搬送波信号であり、たとえば１２５ｋＨｚの搬送波信号である。第１のセグメントの長さおよび／または第２のセグメントの長さおよび／または該第１のセグメントと第２のセグメントとの間の間隔が、符号化された情報を含み、ひいては、振幅変調された問い合わせ信号２５に含まれる問い合わせ情報を含む。
【００３９】
図３にはさらに、振幅変調された問い合わせ信号から得られる包絡線信号３３も示されている。これは以下では、振幅変調信号２５の包絡線３３とも略称される。また図３には、ホイール電子回路１３内部で設けられるクロック信号も示されている。これはこの例では、９０ｋＨｚのクロック信号である。単なる一例として、図３には、振幅変調された問い合わせ信号２５ないしは該信号の搬送波信号３２中の妨害パルス３５および信号ノッチ３６が示されている。以下でさらに詳細に説明するように、本発明によってこのような妨害３５，３６がフィルタリングされ、本発明で生成された振幅変調された問い合わせ信号２５の包絡線３３では、このような妨害３５，３６はもはや可視でなくなる。このことを以下で、ホイール電子回路１３内に具現化される回路技術的な実施例に基づいて、詳細に説明する。
【００４０】
図４に、振幅変調された１２５ｋＨｚの問い合わせ信号２５から本発明によって包絡線３３を生成するための有利な実施形態が示されている。このような復号化は、有利には処理装置２２において行われる。本発明ではカウンタ４０が設けられており、これは有利にはグレイカウンタとして構成されている。このカウンタ４０のカウンタ入力側に、振幅変調された１２５ｋＨｚの問い合わせ信号２５が印加される。この出力側は、カウンタを進める際には常に、１クロックあたり１ビットだけ変化する。このクロックは搬送波周波数である。有利には、グレイカウンタ４０は３ビットカウンタとして構成されている。グレイカウンタのビット系列が図５に示されている。ここでは、総じて８つの状態が設けられている。カウンタ４０のバイナリカウンタ出力側は３つの出力線路を有し、これらは、５つのレジスタ段４２から成るシフトレジスタ４１に接続されている。グレイカウンタ４０のこれら３つの出力側に相応して、各レジスタ段４２は３つの並列接続されたフリップフロップ、有利にはエッジトリガ式のＤフリップフロップを有する。それによれば、グレイカウンタ４０の各１つの出力側は、第１のレジスタ段４２のフリップフロップの入力側に接続されている。さらに、第１のレジスタ段の各フリップフロップの出力側は、第２のレジスタ段のフリップフロップの入力側に接続されている。図４に、グレイカウンタと第１のレジスタ段との接続と、番号３を有する個々のレジスタ段間の接続とが示されている。シフトレジスタ４１、すなわち、５つのレジスタ段４２の総じて２０個のフリップフロップは、９０ｋＨｚのクロック信号３４によってクロック制御される。このようにして、グレイカウンタ４０のカウンタ結果、すなわち該グレイカウンタ４０のその時点のカウンタ状態は実際には連続的に、すなわちビットごとにシフトレジスタ４１の個々のレジスタ段４２にシフト入力され、該シフトレジスタ４１をビットごとに通過する。
【００４１】
とりわけ、シフトレジスタ４１は５段のシフトレジスタ４１として構成されており、図４では一例として、５つのシフトレジスタ段４２が設けられている。このようなレジスタ段４２の３つの出力側はそれぞれ、論理回路４３に接続されている。レジスタ段のフリップフロップが１２５ｋＨｚの入力信号２５の印加に依存せずにクロック制御されることにより、ＣＰによって示されたフリップフロップのクロック入力側に９０ｋＨｚのクロックが印加される限り、グレイカウンタの３つの出力側は読み出され、ビットは個々のレジスタ段を通過してシフトされる。期間３０で入力信号２５がグレイカウンタ４０の入力側に印加されると、該グレイカウンタ４０の出力側のビット値は連続的に変化し、個々のレジスタ段４２のフリップフロップの入力側ないしは出力側のビット値も変化する。すなわち、この値は個々のレジスタ段を通過する。このことに相応して、レジスタ段４２の個々の出力側のビット値は、期間３１の開始直後に期間３１では変化しなくなることはない。すなわち、これらのレジスタ段にはたとえばビット値０が「充填」される。論理回路４３によって、個々のレジスタ段４２のビット値は評価される。たとえば複数の"１"が検出される場合、論理回路４３は１を包絡線として出力する。そうでない場合は、論理回路４３は"０"を包絡線として出力する。このことによって、個々の針状のパルス３５および個々のノッチ３６は確実にフィルタリングされ、全体的に信号妨害が有効的に抑圧される。
【００４２】
別の実施形態では、すべてのシフトレジスタ４２の出力側の値がすべて同じである場合、有利には０である場合、論理回路４３は"０"を出力する。. しかし、各シフトレジスタ段の出力側における値が異なる場合、論理回路４３は"１"を出力する。
【００４３】
図４に示されているように、論理回路４３は出力側で、該論理回路４３の出力側における論理レベルから得られる所望の包絡線３３を出力する。この実施形態は、１６ビットカウンタと異なる点として、最大で１ビットのエラーを有することができる。
【００４４】
図６では、論理回路４３の出力側がＤフリップフロップ４５に接続されており、このＤフリップフロップは９０ｋＨｚのクロック３４によってクロック制御される。図中の例では実際には、振幅変調された１２５ｋＨｚ信号がグレイカウンタ４０をクロック制御する。このグレイカウンタ４０の値は、５段のシフトレジスタ４１に供給される。シフトレジスタ４１のすべての値、すなわち異なるシフトレジスタ段４２のすべての出力ビットが同じである場合、包絡線は"０"になり、出力ビットが異なる場合には包絡線は"１"になる。この回路自体が、個々の針状の妨害パルス３５およびクロックノッチ３６をフィルタリングする。このことは、従来のデジタルフィルタでは実現できなかった。
【００４５】
図７に示された別の実施形態では、シフトレジスタ４６の最後の４つのレジスタ段４２のそれぞれ３つの出力側のみが、非同期評価論理回路４７に接続されている。このことにより、論理回路４７をより省スペースかつより省電流で構成することができる。その際には論理回路４７は、５つのレジスタ段４２のうち最後の４つのレジスタ段のみを評価する。有利には、レジスタ段に等しい値が、たとえば０のみが存在する場合にのみ、包絡線３３は値０にセットされる。というのも、グレイカウンタ４０は入力側でクロックを受け取っていないことが推定されるからである。このことに相応して、レジスタ段に複数の異なる値が検出された場合、包絡線３３の値は"１"にセットされる。
【００４６】
上記で本発明を有利な実施例に基づき説明してきたが、本発明はそれらに限定されるものではなく、多種多様に変形を施すことができる。本発明は、記載された実施例にのみ限定されるのではなく、別の物理量を測定するための別の測定システムにも使用することができる。また、本発明は自動車に適用しなければならないわけではなく、妨害を含む別の周辺環境で別の測定値伝送を行うこともできる。
【図面の簡単な説明】
【００４７】
【図１】本発明によるタイヤ圧監視システムを説明するための乗用車の概略的な平面図である。
【図２】ホイール電子回路の構成例のブロック回路図である。
【図３】重畳された搬送波信号を有する振幅変調問い合わせ信号の信号タイムチャートと、この振幅変調信号の包絡線と、クロック信号とを示す。
【図４】本発明によるホイール電子回路の第１の実施例を説明するための、グレイカウンタとシフトレジスタ構成体とＤフリップフロップとを有する回路構成を示す。
【図５】グレイカウンタの可能な出力状態の符号化スキームを示す。
【図６】本発明のホイール電子回路の第２の実施例を説明するための、シフトレジスタ構成体と論理回路とフリップフロップとを有する回路構成を示す。
【図７】本発明のホイール電子回路の別の実施例を説明するための、シフトレジスタ構成体と論理回路とフリップフロップとを有する回路構成を示す。
【符号の説明】
【００４８】
１０  車両、乗用車
１１  ホイール
１２  ホイール側の送受信アンテナ
１３  ホイール電子回路
１５  車両側の送受信装置
１６  車両側の送受信アンテナ
１７  バス
１８  中央制御ユニット
１９  計算ユニット、マイクロコントローラ
２１  圧力センサ、測定センサ、ホイールセンサ
２２  処理装置、マイクロコントローラ
２３  送受信回路
２４  ローカルのエネルギー供給部
２５  送信信号、問い合わせ信号
２６  送信信号
３０，３１  振幅変調信号のセグメント
３２  高周波の搬送波信号
３３  振幅変調された問い合わせ信号の包絡線
３４  クロック信号
３５  妨害パルス
３６  搬送波信号中の信号ノッチ
４０  カウンタ
４１  シフトレジスタ
４２  それぞれ３つのフリップフロップを有するシフトレジスタ段
４３  論理回路
４５  Ｄフリップフロップ
４６  シフトレジスタ
４７  非同期論理回路
【図１】
2008283687.tif 000003
【図２】
2008283687.tif 000004
【図３】
2008283687.tif 000005
【図４】
2008283687.tif 000006
【図５】
2008283687.tif 000007
【図６】
2008283687.tif 000008
【図７】
2008283687.tif 000009